(57)【要約】      （修正有）【課題】現在流通している又は将来流通し得る電動ドリルのチャック部の構造のなかで、側面に第１の凹部対及び第２の凹部対が設けられているシャンク部を把持するためのチャック部の構造で把持することが可能なシャンク部を備える、自由錐を提供する。【解決手段】シャンク部２１の側面には、周方向において１８０°回転した部分に設けられる第１の凹部対と、周方向において１８０°回転した部分に設けられる第２の凹部対２６と、が形成されており、第１の凹部対は、円柱状の側面の基端の近傍部分から平行に延びる第１の直線状の縁対と、第１の直線状の縁対の基端同士を結ぶ第１の円弧状の縁と、第１の直線状の縁対の先端同士を結ぶ第２の円弧状の縁と、を有し、第２の凹部対は、円柱状の側面の基端から平行に延びる第２の直線状の縁対と、第２の直線状の縁対の先端同士を結ぶ第３の円弧状の縁と、を有する。【選択図】図２
0003216704.tif 000002
【実用新案登録請求の範囲】
【請求項１】
電動ドリルの先端工具として用いられる自由錐であって、
前記電動ドリルの取り付けチャック部に把持されるシャンク部を有し、駆動源により回動する回転軸と、
前記回転軸の径方向において前記回転軸から所定の間隔を空けて設けられ、前記回転軸と共に回転する外刃と、を備え、
前記回転軸のシャンク部は円柱状に形成されており、その側面には、周方向において互いに１８０°回転した部分に設けられる第１の凹部対と、周方向において互いに１８０°回転した部分に設けられる第２の凹部対と、が形成されており、且つ、軸方向に見て前記第１の凹部対同士を結ぶ直線と前記第２の凹部対同士を結ぶ直線とは互いに直交しており、
前記第１の凹部対は、それぞれ、
前記円柱状の側面の基端の近傍部分から先端側に向かい軸方向に沿って互いに平行に延びる第１の直線状の縁対と、
前記第１の直線状の縁対それぞれの基端同士を互いに結ぶように基端側に突出しながら湾曲する第１の円弧状の縁と、
前記第１の直線状の縁対それぞれの先端同士を互いに結ぶように先端側に突出しながら湾曲する第２の円弧状の縁と、
軸方向に見て径方向の内側に突出しながら湾曲する内面と、を有し、
前記第２の凹部対は、それぞれ、
前記円柱状の側面の基端から先端側に向かい軸方向に沿って互いに平行に延びる第２の直線状の縁対と、
前記第２の直線状の縁対それぞれの先端同士を互いに結ぶように先端側に突出しながら湾曲する第３の円弧状の縁と、
軸方向に見て平坦な底面と、前記第２の直線状の縁対及び前記第３の円弧状の縁と前記底面の周縁とを互いに結ぶように、前記底面に向かうに連れて幅寸法が小さくなるように傾斜する側面と、を有することを特徴とする、自由錐。
【請求項２】
前記回転軸と同軸状に設けられ、前記回転軸と共に回転するセンタードリルと、
前記回転軸又は前記センタードリルに穿設された挿通孔に挿通され、前記回転軸及び前記センタードリルの軸方向と互いに直交する方向に延び、且つ、前記回転軸と共に回転する回転体と、をさらに備え、
前記外刃は前記回転体に設けられる、請求項１に記載の自由錐。
【請求項３】
前記電動ドリルはハンマードリルである、請求項１又は２に記載の自由錐。
【請求項４】
前記電動ドリルは振動ドリル又はドライバードリルである、請求項１又は２に記載の自由錐。
【考案の詳細な説明】
【技術分野】
【０００１】
本考案は、自由錐に関する。
【背景技術】
【０００２】
従来から、電動ドリルの先端工具として用いられる自由錐が知られている。このような自由錐として、例えば、特開２０１５−１７４２０４号公報（特許文献１）で提案されている治具付きサークルカッターがある。
【０００３】
特許文献１の治具付きサークルカッターは、電動ドリルの取り付けチャック部に取り付けられて回動する回転軸と、当該回転軸と同軸に設けられるセンタードリルと、回転軸又はセンタードリルに係合されて半径方向に延びる回転体と、を備えている。そして、回転体には２枚の外刃が取り付けられている。
【先行技術文献】
【特許文献】
【０００４】
【特許文献１】特開２０１５−１７４２０４号公報
【考案の概要】
【考案が解決しようとする課題】
【０００５】
ところで、電動ドリルの先端工具は、一般に、その時代に流通している取り付けチャック部の構造で把持することができるように、シャンク部の形状が決定されている。しかし、電動ドリルの先端工具として用いられる特許文献１及びその他の従来からある自由錐は、現在流通している又は将来流通し得る電動ドリルのチャック部の構造のなかで、側面に第１の凹部対及び第２の凹部対が設けられているシャンク部を把持するための構造で把持することができない。
【０００６】
そこで、本考案は、現在流通している又は将来流通し得る電動ドリルのチャック部の構造のなかで、側面に第１の凹部対及び第２の凹部対が設けられているシャンク部を把持するためのチャック部の構造で把持することが可能なシャンク部を備える、自由錐を提供することを目的とする。
【課題を解決するための手段】
【０００７】
前記課題を解決するために、本考案に係る自由錐は、電動ドリルの先端工具として用いられる自由錐であって、前記電動ドリルの取り付けチャック部に把持されるシャンク部を有し、駆動源により回動する回転軸と、前記回転軸の径方向において前記回転軸から所定の間隔を空けて設けられ、前記回転軸と共に回転する外刃と、を備え、前記回転軸のシャンク部は円柱状に形成されており、その側面には、周方向において互いに１８０°回転した部分に設けられる第１の凹部対と、周方向において互いに１８０°回転した部分に設けられる第２の凹部対と、が形成されており、且つ、軸方向に見て前記第１の凹部対同士を結ぶ直線と前記第２の凹部対同士を結ぶ直線とは互いに直交しており、前記第１の凹部対は、それぞれ、前記円柱状の側面の基端の近傍部分から先端側に向かい軸方向に沿って互いに平行に延びる第１の直線状の縁対と、前記第１の直線状の縁対それぞれの基端同士を互いに結ぶように基端側に突出しながら湾曲する第１の円弧状の縁と、前記第１の直線状の縁対それぞれの先端同士を互いに結ぶように先端側に突出しながら湾曲する第２の円弧状の縁と、軸方向に見て径方向の内側に突出しながら湾曲する内面と、を有し、前記第２の凹部対は、それぞれ、前記円柱状の側面の基端から先端側に向かい軸方向に沿って互いに平行に延びる第２の直線状の縁対と、前記第２の直線状の縁対それぞれの先端同士を互いに結ぶように先端側に突出しながら湾曲する第３の円弧状の縁と、軸方向に見て平坦な底面と、前記第２の直線状の縁対及び前記第３の円弧状の縁と前記底面の周縁とを互いに結ぶように、前記底面に向かうに連れて幅寸法が小さくなるように傾斜する側面と、を有することを特徴とする。
【０００８】
上記構成によれば、現在流通している又は将来流通し得る電動ドリルのチャック部の構造のなかで、側面に前記第１の凹部対及び前記第２の凹部対が設けられているシャンク部を把持するためのチャック部の構造で把持することが可能なシャンク部を備える、自由錐を提供することが可能となる。
【０００９】
例えば、前記回転軸と同軸状に設けられ、前記回転軸と共に回転するセンタードリルと、前記回転軸又は前記センタードリルに穿設された挿通孔に挿通され、前記回転軸及び前記センタードリルの軸方向と互いに直交する方向に延び、且つ、前記回転軸と共に回転する回転体と、をさらに備え、前記外刃は前記回転体に設けられる。
【００１０】
前記電動ドリルはハンマードリルであってもよい。
【００１１】
現在流通しているハンマードリルのチャック部には、側面に第１の凹部対及び第２の凹部対が設けられているシャンク部を把持するための構造を有するものがある。しかし、現在流通している電動ドリルの先端工具として用いられる自由錐のなかで、前記したようなシャンク部を備えるものは見受けられない。以上の通りであるため、上記構成によれば、現在流通しているハンマードリルのチャック部の構造のなかで、側面に前記第１の凹部対及び前記第２の凹部対が設けられているシャンク部を把持するためのチャック部の構造で把持することが可能なシャンク部を備える、新規な自由錐を提供することができる。
【００１２】
前記電動ドリルは振動ドリル又はドライバードリルであってもよい。
【００１３】
現在流通している振動ドリル又はドライバードリルのチャック部には、側面に第１の凹部対及び第２の凹部対が設けられているシャンク部を把持するための構造が見受けられないが、将来流通する可能性があると思われる。したがって、上記構成によれば、将来流通し得る振動ドリル又はドライバードリルのチャック部の構造のなかで、側面に前記第１の凹部対及び前記第２の凹部対が設けられているシャンク部を把持するためのチャック部の構造で把持することが可能なシャンク部を備える、新規な自由錐を提供することができる。
【考案の効果】
【００１４】
本考案によれば、現在流通している又は将来流通し得る電動ドリルのチャック部の構造のなかで、側面に第１の凹部対及び第２の凹部対が設けられているシャンク部を把持するためのチャック部の構造で把持することが可能なシャンク部を備える、自由錐を提供することが可能となる。
【図面の簡単な説明】
【００１５】
【図１】本考案の第１実施形態に係る自由錐が取り付けられたハンマードリルの全体構成を示す概略図である。
【図２】本考案の第１実施形態に係る自由錐の正面図である。
【図３】本考案の第１実施形態に係る自由錐の回転軸単体の第１の凹部対のうちの一方が見える状態の側面図である。
【図４】本考案の第１実施形態に係る自由錐の回転軸単体の図であり、（Ａ）が第２の凹部対のうちの一方が見える状態の側面図、（Ｂ）が基端側から軸方向に見た平面図である。
【図５】本考案の第２実施形態に係る自由錐の正面図である。
【図６】本考案の第２実施形態に係る自由錐の回転軸単体及びそれと一体的に設けられるセンタードリルの側面図であり、第１の凹部対のうちの一方が見える状態の図である。
【図７】本考案の第２実施形態に係る自由錐の回転軸単体及びそれと一体的に設けられるセンタードリルを示す図であり、（Ａ）が第２の凹部対のうちの一方が見える状態の側面図、（Ｂ）が基端側から軸方向に見た平面図である。
【考案を実施するための形態】
【００１６】
以下、本考案の実施形態に係る自由錐について図面を参照して説明する。なお、本実施形態によって本考案が限定されるものではない。また、以下では、全ての図を通じて、同一又は相当する要素には同一の参照符号を付して、その重複する説明を省略する。
【００１７】
１．第１実施形態
図１は、本考案の第１実施形態に係る自由錐が取り付けられたハンマードリルの全体構成を示す概略図である。図１に示すように、ハンマードリル１００（電動ドリル）は、ハンマードリル本体１１０と、取り付けチャック部１１２と、取り付けチャック部１１２に取り付けられる先端工具としての自由錐１０Ａと、を備えている。なお、ここでいうハンマードリル１００とは、人手で把持することが可能な比較的軽量のハンマードリルのことをいう。
【００１８】
ここで、ハンマードリル１００は、コンクリートなどに穴をあけるために先端工具を回転させながら打撃を与える通常モードと、先端工具を回転のみさせる回転モードと、を切り替えて運転することが可能である。なお、本実施形態のように、先端工具として自由錐１０Ａを用いる場合、ハンマードリル１００は回転モードで運転する必要がある。
【００１９】
（全体構成）
図２は、本実施形態に係る自由錐の正面図である。図２に示すように、自由錐１０Ａは、ハンマードリル１００の取り付けチャック部１１２に把持されるシャンク部２１を有し、ハンマードリル本体１１０内に設けられる駆動源（図示せず）により回動する回転軸２０と、回転軸２０の径方向において当該回転軸２０から所定の間隔を空けて設けられ、当該回転軸２０と共に回転する２つの外刃５０、５０と、を備える。
【００２０】
また、自由錐１０Ａは、回転軸２０と同軸状に設けられ、当該回転軸２０と共に回転するセンタードリル３８を備える。さらに、自由錐１０Ａは、回転軸２０に穿設された後述する挿通孔３３に挿通され、回転軸２０及びセンタードリル３８の軸方向と互いに直交する方向に延び、且つ、回転軸２０と共に回転する回転体４０を備える。
【００２１】
（回転軸２０）
図３は、本実施形態に係る回転軸単体の第１の凹部対のうちの一方が見える状態の側面図である。また、図４は、同回転軸単体の図であり、（Ａ）が第２の凹部対のうちの一方が見える状態の側面図、（Ｂ）が基端側から軸方向に見た平面図である。図３並びに図４（Ａ）及び（Ｂ）に示すように、回転軸２０は、円柱状に形成されたシャンク部２１と、シャンク部２１の先端に当該シャンク部２１と同軸状に設けられ、当該シャンク部２１よりも僅かに大きい径寸法の円柱状に形成された第１の回転軸中央部３５と、第１の回転軸中央部３５の先端に当該第１の回転軸中央部３５と同軸状に設けられ、当該第１の回転軸中央部３５よりも僅かに大きい径寸法の円柱状に形成された回転軸先端部３０と、を有する。
【００２２】
（シャンク部２１）
円柱状に形成されたシャンク部２１の側面には、周方向において互いに１８０°回転した部分に設けられる第１の凹部対２２、２２と、周方向において互いに１８０°回転した部分に設けられる第２の凹部対２６、２６と、が形成されている。なお、軸方向に見て第１の凹部対２２、２２同士を結ぶ直線と第２の凹部対２６、２６同士を結ぶ直線とは互いに直交している。
【００２３】
図３及び図４（Ａ）に示すように、第１の凹部対２２、２２は、それぞれ、円柱状の側面の基端の近傍部分から先端側に向かい軸方向に沿って互いに平行に延びる第１の直線状の縁対２３、２３を有する。また、第１の凹部対２２、２２は、それぞれ、第１の直線状の縁対２３、２３それぞれの基端同士を互いに結ぶように基端側に突出しながら湾曲する第１の円弧状の縁２４ａと、第１の直線状の縁対２３、２３それぞれの先端同士を互いに結ぶように先端側に突出しながら湾曲する第２の円弧状の縁２４ｂと、をさらに有する。そして、第１の凹部対２２、２２は、それぞれ、軸方向に見て径方向の内側に突出しながら湾曲する内面２５を有する。
【００２４】
図４（Ａ）及び（Ｂ）に示すように、第２の凹部対２６、２６は、それぞれ、円柱状の側面の基端から先端側に向かい軸方向に沿って互いに平行に延びる第２の直線状の縁対２７、２７を有する。また、第２の凹部対２６、２６は、それぞれ、第２の直線状の縁対２７、２７それぞれの先端同士を互いに結ぶように先端側に突出しながら湾曲する第３の円弧状の縁２８と、軸方向に見て平坦な底面２９ａと、第２の直線状の縁対２７、２７及び第３の円弧状の縁２８と底面２９ａの周縁とを互いに結ぶように、底面２９ａに向かうに連れて幅寸法が小さくなるように傾斜する側面２９ｂと、を有する。
【００２５】
シャンク部２１の側面と上面（すなわち、基端側に存する面）との接続部には、周方向全域に亘って面取りが形成されている。なお、第１の回転軸中央部３５及び回転軸先端部３０についても同様に面取りが形成されている。
【００２６】
回転軸先端部３０には、底面（すなわち、先端側に存する面）から後述する挿通孔３３まで至るドリル取り付け穴３１が穿設されている。当該ドリル取り付け穴３１は、センタードリル３８の軸方向の基端部の外形に対応した先端側の円柱状の部分と、当該先端側の円柱状の部分の基端側に設けられ、当該先端側の円柱状の部分よりも僅かに小さい径寸法の円柱状に形成された基端側の円柱状の部分と、を有する。
【００２７】
また、回転軸先端部３０の側面の先端の近傍部分には、周方向において後述する挿通孔３３から９０°回転した部分に穿設され、ドリル取り付け穴３１まで至る第１の螺子穴３２が穿設されている。
【００２８】
回転軸先端部３０の側面の基端の近傍部分には、径方向に貫通する挿通孔３３が穿設されている。当該挿通孔３３は、回転体４０の軸方向の中央部の外形に対応した直方体状である。また、回転軸先端部３０の側面の基端の近傍部分には、周方向において挿通孔３３から９０°回転した部分に穿設され、第１の螺子穴３２と平行に延びて挿通孔３３まで至る第２の螺子穴３４が穿設されている。
【００２９】
なお、図３に示すように、挿通孔３３は、第１の凹部対２２同士を結ぶ直線と同じ方向に延びるように穿設されている。また、図４（Ａ）に示すように、第１の螺子穴３２及び第２の螺子穴３４は、それぞれ、第２の凹部対２６同士を結ぶ直線と同じ方向に延びるように穿設されている。
【００３０】
（センタードリル３８）
図２に示すように、センタードリル３８は、先端部が鋭利にされた略円柱状に形成されている。センタードリル３８の基端部は、回転軸先端部３０に穿設されたドリル取り付け穴３１の先端側の円柱状の部分に嵌合され、第１の螺子穴３２に挿通される第１の螺子部材３２ａによってドリル取り付け穴３１の内面に押圧される。これにより、センタードリル３８は回転軸先端部３０に対して固定される。
【００３１】
（回転体４０）
図２に示すように、回転体４０は、長手方向を有する直方体状に形成されている。回転体４０は、回転軸先端部３０に穿設された挿通孔３３に挿通され、回転軸２０及びセンタードリル３８の軸方向と直交する方向に延びる。回転体４０は、その長手方向の中央部が挿通孔３３に嵌合され、第２の螺子穴３４に挿通される第２の螺子部材３４ａによって挿通孔３３の内面に押圧される。これにより、回転体４０は回転軸先端部３０に対して固定される。
【００３２】
（外刃５０）
２つの外刃５０、５０は、それぞれ、回転体４０に設けられる。具体的には、２つの外刃５０、５０は、それぞれ、回転体４０に対して当該回転体４０の軸方向に沿って摺動可能に設けられる摺動部材５１と、第３の螺子部材５２と、第１の蝶螺子６０とを用いて回転体４０に取り付けられる。
【００３３】
２つの外刃５０、５０は、それぞれ、摺動部材５１の回転軸２０と対向して配される面に第３の螺子部材５２を用いて固定される。そのあと、２つの外刃５０、５０は、それぞれ、摺動部材５１を回転体４０上で摺動される。これにより、回転軸２０と外刃５０の間隔を調節することが可能となるので、木材などの被穿孔体（図示せず）などに穿設する孔の径寸法を変更することができる。そして、摺動部材５１、５１は、それぞれ、その基端側に第１の蝶螺子６０を螺合させることで、回転体４０に対して固定される。なお、２つの外刃５０、５０は、それぞれ、回転体４０に対して回転軸２０の中心軸線に関して線対称となる位置に固定される。
【００３４】
（自由錐１０Ａの使用方法の一例）
本実施形態に係る自由錐１０Ａの使用方法の一例について説明する。まず、図１に示すように、ハンマードリル１００の取り付けチャック部１１２に回転軸２０のシャンク部２１を把持させる。次に、木材などの被穿孔体（図示せず）に穿孔したい孔の径寸法にあわせて外刃５０、５０の位置を調節して回転体４０に固定する。そして、ハンマードリル１００を回転モードで運転させることで、自由錐１０Ａを回転させながら、センタードリル３８の先端を被穿孔体に穿設したい孔の中心位置に押し当てる。すると、センタードリル３８によって被穿孔体に小径の孔が穿設されていき、そのあと外刃５０によって被穿孔体に前記小径の孔を中心として所望する径寸法の孔が穿設される。
【００３５】
（効果）
本実施形態に係る自由錐１０Ａは、シャンク部２１の側面に第１の凹部対２２、２２及び第２の凹部対２６、２６が設けられている。このような形状のシャンク部２１には、例えば、ＳＤＳシャンク（Steck・Dreeh・Sitzt Shank）がある。なお、ここでいうＳＤＳシャンクには、径寸法１０ｍｍのＳＤＳプラスシャンク、及び径寸法１８ｍｍのＳＤＳマックスシャンクが含まれる。
【００３６】
現在流通しているハンマードリルのチャック部には、側面に第１の凹部対２２、２２及び第２の凹部対２６、２６が設けられているシャンク部（例えば、上記ＳＤＳシャンク）を把持するための構造を有するものがある。しかし、現在流通している電動ドリルの先端工具として用いられる自由錐のなかで、前記したようなシャンク部を備えるものは見受けられない。以上の通りであるため、上記第１実施形態によれば、現在流通しているハンマードリルのチャック部の構造のなかで、側面に第１の凹部対２２、２２及び第２の凹部対２６，２６が設けられているシャンク部を把持するためのチャック部の構造で把持することが可能なシャンク部２１を備える、新規な自由錐１０Ａを提供することができる。
【００３７】
２．第２実施形態
（全体構成）
図５は、本考案の第２実施形態に係る自由錐の正面図である。本実施形態に係る自由錐１０Ｂは、多くの点で上記第１実施形態に係る自由錐１０Ａと同じ構造を有する。したがって、同一部分には同じ参照番号を付し、同様となる説明は繰り返さない。また、本実施形態に係る自由錐が取り付けられたハンマードリルの全体構成を示す概略図についても、上記第１実施形態に係る自由錐１０Ａの場合と同じであるため、その図示を繰り返さない。
【００３８】
図６は、本実施形態に係る自由錐の回転軸単体及びそれと一体的に設けられるセンタードリルの側面図であり、第１の凹部対のうちの一方が見える状態の図である。また、図７は、同回転軸単体及びそれと一体的に設けられるセンタードリルを示す図であり、（Ａ）が第２の凹部対のうちの一方が見える状態の側面図、（Ｂ）が基端側から軸方向に見た平面図である。
【００３９】
（回転軸２０）
図６及び図７（Ａ）に示すように、本実施形態では、第１の回転軸中央部３５と回転軸先端部３０との間に第２の回転軸中央部３６が設けられる。当該第２の回転軸中央部３６は、第１の回転軸中央部３５よりも僅かに大きく、且つ、回転軸先端部３０よりも僅かに小さい径寸法の円柱状に形成されている。また、当該第２の回転軸中央部３６の側面には、後述する第２の蝶螺子７０を螺合するための螺子溝（図示せず）が形成されている。
【００４０】
また、本実施形態では、回転軸２０は、回転体４０に対して当該回転体４０の軸方向に沿って摺動可能に設けられる。これにより、回転軸２０と外刃５０の間隔を調節することが可能となるので、木材などの被穿孔体（図示せず）などに穿設する孔の径寸法を変更することができる。そして、回転軸２０は、その第２の回転軸中央部３６の側面に形成された螺子溝に第２の蝶螺子７０を螺合させることで、回転体４０に対して固定される。
【００４１】
（センタードリル３８）
図５〜７に示すように、本実施形態では、センタードリル３８が回転軸２０の先端に一体的に形成されている。したがって、本実施形態に係る自由錐１０Ｂは、上記第１実施形態で説明した回転軸先端部３０に対してドリル取り付け穴３１及び第１の螺子穴３２が穿設されておらず、且つ、第１の螺子部材３２ａを備えていない。
【００４２】
（外刃５０）
図５に示すように、本実施形態では、外刃５０が１つのみ設けられている。当該外刃５０は、回転体４０の軸方向の一方端（すなわち、図５において右端）に一体的に形成されている。したがって、本実施形態に係る自由錐１０Ｂは、上記第１実施形態で説明した外刃５０を回転体４０に対して固定するための摺動部材５１、第３の螺子部材５２及び第１の蝶螺子６０を備えていない。
【００４３】
（効果）
本実施形態に係る自由錐１０Ｂが奏する効果は、上記第１実施の形態に係る自由錐１０Ａと同様であるため、ここではその説明を繰り返さない。
【００４４】
３．変形例
上記説明から、当業者にとっては、本考案の多くの改良や他の実施形態が明らかである。したがって、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【００４５】
上記実施形態に係る自由錐１０Ａ、１０Ｂは、ハンマードリル１００の先端工具として用いられる場合について説明したが、これに限定されない。すなわち、自由錐１０Ａ、１０Ｂは、振動ドリル又はドライバードリルの先端工具として用いられてもよいし、その他の電動ドリルの先端工具として用いられてもよい。
【００４６】
ここで、振動ドリルは、コンクリートなどに穴をあけるために先端工具を回転させながら振動する通常モードと、先端工具を回転のみさせる回転モードと、を切り替えて運転することが可能であるが、上記実施形態と同様に、先端工具として自由錐１０Ａ、１０Ｂを用いる場合、振動ドリルは回転モードで運転する必要がある。また、ドライバードリルは、被穿孔物に穿孔するためや、ねじを締める又は弛めるために、先端工具を回転のみさせる電動ドリルである。
【００４７】
ここで、現在流通している振動ドリル又はドライバードリルのチャック部には、側面に第１の凹部対２２、２２及び第２の凹部対２６、２６が設けられているシャンク部を把持するための構造が見受けられないが、将来流通する可能性があると思われる。したがって、上記構成によれば、将来流通し得る振動ドリル又はドライバードリルのチャック部の構造のなかで、側面に第１の凹部対２２、２２及び第２の凹部対２６、２６が設けられているシャンク部を把持するためのチャック部の構造で把持することが可能なシャンク部２１を備える、新規な自由錐を提供することができる。
【００４８】
上記第１実施形態に係る自由錐１０Ａは、２つの外刃５０、５０を備える両刃の構造で回転軸２０とセンタードリル３８とが別個に設けられ、上記第２実施形態に係る自由錐１０Ｂは、１つの外刃５０を備える片刃の構造で回転軸２０とセンタードリル３８とが一体的に形成される場合について説明したが、この場合に限定されない。
【００４９】
すなわち、両刃の構造で回転軸２０とセンタードリル３８とが一体的に形成されてもよいし、又は、片刃の構造で回転軸２０とセンタードリル３８とが一体的に形成されてもよい。なお、回転体４０と外刃５０との関係についても同様のため、ここではその説明を繰り返さない。
【００５０】
上記実施形態では、挿通孔３３が回転軸２０に穿設されている場合について説明したが、この場合に限定されず、例えば、センタードリル３８に穿設されていてもよい。
【００５１】
上記実施形態では、回転軸２０の挿通孔３３は、第１の凹部対２２、２２同士を結ぶ直線と同じ方向に延びるように穿設されている場合について説明したが、この場合に限定されず、第２の凹部対２６、２６同士を結ぶ直線と同じ方向に延びるように穿設されていてもよい。
【符号の説明】
【００５２】
１０  自由錐
２０  回転軸
２１  シャンク部
２２  第１の凹部対
２３  第１の直線状の縁対
２４ａ  第１の円弧状の縁
２４ｂ  第２の円弧状の縁
２５  内面
２６  第２の凹部対
２７  第２の直線状の縁対
２８  第３の円弧状の縁
２９ａ  底面
２９ｂ  側面
３０  回転軸先端部
３１  ドリル取り付け穴
３２  第１の螺子穴
３２ａ  第１の螺子部材
３３  挿通孔
３４  第２の螺子穴
３４ａ  第２の螺子部材
３５  第１の回転軸中央部
３６  第２の回転軸中央部
３８  センタードリル
４０  回転体
５０  外刃
５１  摺動部材
５２  第３の螺子部材
６０  第１の蝶螺子
７０  第２の蝶螺子
１００  ハンマードリル
１１０  ハンマードリル本体
１１２  取り付けチャック部
【図１】
0003216704.tif 000003
【図２】
0003216704.tif 000004
【図３】
0003216704.tif 000005
【図４】
0003216704.tif 000006
【図５】
0003216704.tif 000007
【図６】
0003216704.tif 000008
【図７】
0003216704.tif 000009